(57)【特許請求の範囲】
【請求項１】
書店端末と接続可能な図書館向け書籍納入支援システムであって、以下の要素を有することを特徴とする図書館向け書籍納入支援システム
（１）図書館から書店へ注文する書籍の書籍識別情報と冊数を含む図書館対書店注文情報を入力する図書館対書店注文情報入力部
（２）入力した図書館対書店注文情報を記憶する図書館対書店注文情報記憶部
（３）入力した図書館対書店注文情報を、書店端末に対して転送する図書館対書店注文情報転送部
（４）図書館対書店注文情報に含まれる書籍のうち、書店で在庫されているものについての書籍識別情報を、コードの読み取りにより特定させる在庫分書籍コード読取りプログラムを、図書館対書店注文情報とともに書店端末へ送信する在庫分書籍コード読取りプログラム送信部
（５）在庫分書籍コード読取りプログラムにより特定された書籍識別情報と、冊数とを、在庫分書籍情報として、書店端末から受信する在庫分書籍情報受信部
（６）受信した在庫分書籍情報を記憶する在庫分書籍情報記憶部
（７）図書館対書店注文情報記憶部に記憶した図書館対書店注文情報に含まれる書籍毎に、図書館対書店注文情報の冊数から、在庫分書籍情報記憶部に記憶した在庫分書籍情報の冊数を引き、その差分が１以上のときは、その差分を冊数として書籍識別情報と対応付けて、書店から取次店への注文情報である書店対取次店注文情報を生成する書店対取次店注文情報生成部
（８）生成した書店対取次店注文情報を記憶する書店対取次店注文情報記憶部
（９）生成した書店対取次店注文情報を出力する書店対取次店注文情報出力部
（１０）コードの読み取りにより、書籍識別情報を特定させる受入分書籍コード読取りプログラムを、書店端末へ送信する受入分書籍コード読取りプログラム送信部
（１１）受入分書籍コード読取りプログラムにより特定された書籍識別情報と、冊数とを、取次店から書店へ入荷した書籍の情報である入荷書籍情報として、書店端末から受信する入荷書籍情報受信部
（１２）受信した入荷書籍情報または書店対取次店注文情報記憶部に記憶した書店対取次店注文情報に含まれる書籍毎に、書店対取次店注文情報に含まれる書籍の冊数と、入荷書籍情報に含まれる書籍の冊数とを比較し、入荷書籍情報の冊数が少ない場合及び等しい場合には、入荷書籍情報の冊数を受入分書籍情報に含まれる書籍の冊数として書籍識別情報と対応付け、入荷書籍情報の冊数が多い場合には、書店対取次店注文情報の冊数を受入分書籍情報に含まれる書籍の冊数として書籍識別情報と対応付けて、当該受入分書籍情報を含む受入検収結果を生成する受入検収結果生成部
（１３）生成した受入検収結果に含まれる受入分書籍情報に含まれる書籍識別情報と、在庫分書籍情報記憶部に記憶した在庫分書籍情報に含まれる書籍識別情報とを含む書誌データベース注文情報を生成する書誌データベース注文情報生成部。
【請求項２】
書店端末と接続可能な図書館向け書籍納入支援システムであって、以下の要素を有することを特徴とする図書館向け書籍納入支援システム
（１）図書館から書店へ注文する書籍の書籍識別情報と冊数を含む図書館対書店注文情報を入力する図書館対書店注文情報入力部
（２）入力した図書館対書店注文情報を記憶する図書館対書店注文情報記憶部
（３）入力した図書館対書店注文情報を、書店端末に対して転送する図書館対書店注文情報転送部
（４）図書館対書店注文情報に含まれる書籍のうち、書店で在庫されているものについての書籍識別情報を、コードの読み取りにより特定させる在庫分書籍コード読取りプログラムを、図書館対書店注文情報とともに書店端末へ送信する在庫分書籍コード読取りプログラム送信部
（５）在庫分書籍コード読取りプログラムにより特定された書籍識別情報と、冊数とを、在庫分書籍情報として、書店端末から受信する在庫分書籍情報受信部
（６）受信した在庫分書籍情報を記憶する在庫分書籍情報記憶部
（７）図書館対書店注文情報記憶部に記憶した図書館対書店注文情報に含まれる書籍毎に、図書館対書店注文情報の冊数から、在庫分書籍情報記憶部に記憶した在庫分書籍情報の冊数を引き、その差分が１以上のときは、その差分を冊数として書籍識別情報と対応付けて、書店から取次店への注文情報である書店対取次店注文情報を生成する書店対取次店注文情報生成部
（８）生成した書店対取次店注文情報を記憶する書店対取次店注文情報記憶部
（９）生成した書店対取次店注文情報を出力する書店対取次店注文情報出力部
（１０）コードの読み取りにより、書籍識別情報を特定させる受入分書籍コード読取りプログラムを、書店端末へ送信する受入分書籍コード読取りプログラム送信部
（１１）受入分書籍コード読取りプログラムにより特定された書籍識別情報と、冊数とを、取次店から書店へ入荷した書籍の情報である入荷書籍情報として、書店端末から受信する入荷書籍情報受信部
（１２）受信した入荷書籍情報または書店対取次店注文情報記憶部に記憶した書店対取次店注文情報に含まれる書籍毎に、書店対取次店注文情報に含まれる書籍の冊数と、入荷書籍情報に含まれる書籍の冊数とを比較し、入荷書籍情報の冊数が少ない場合及び等しい場合には、入荷書籍情報の冊数を受入分書籍情報に含まれる書籍の冊数として書籍識別情報と対応付け、入荷書籍情報の冊数が多い場合には、書店対取次店注文情報の冊数を受入分書籍情報に含まれる書籍の冊数として書籍識別情報と対応付けて、当該受入分書籍情報を含む受入検収結果を生成する受入検収結果生成部
（１３）生成した受入検収結果に含まれる受入分書籍情報に含まれる書籍識別情報と、在庫分書籍情報記憶部に記憶した在庫分書籍情報に含まれる書籍識別情報とを含む図書カード注文情報を生成する図書カード注文情報生成部。
【請求項３】
書店端末と接続可能な図書館向け書籍納入支援システムによる図書館向け書籍納入支援方法であって、以下の要素を有することを特徴とする図書館向け書籍納入支援方法
（１）図書館向け書籍納入支援システムが備える図書館対書店注文情報入力部が、図書館から書店へ注文する書籍の書籍識別情報と冊数を含む図書館対書店注文情報を入力する図書館対書店注文情報入力工程
（２）図書館向け書籍納入支援システムが備える図書館対書店注文情報記憶部が、入力した図書館対書店注文情報を記憶する図書館対書店注文情報記憶工程
（３）図書館向け書籍納入支援システムが備える図書館対書店注文情報転送部が、入力した図書館対書店注文情報を、書店端末に対して転送する図書館対書店注文情報転送工程
（４）図書館向け書籍納入支援システムが備える在庫分書籍コード読取りプログラム送信部が、図書館対書店注文情報に含まれる書籍のうち、書店で在庫されているものについての書籍識別情報を、コードの読み取りにより特定させる在庫分書籍コード読取りプログラムを、図書館対書店注文情報とともに書店端末へ送信する在庫分書籍コード読取りプログラム送信工程
（５）図書館向け書籍納入支援システムが備える在庫分書籍情報受信部が、在庫分書籍コード読取りプログラムにより特定された書籍識別情報と、冊数とを、在庫分書籍情報として、書店端末から受信する在庫分書籍情報受信工程
（６）図書館向け書籍納入支援システムが備える在庫分書籍情報記憶部が、受信した在庫分書籍情報を記憶する在庫分書籍情報記憶工程
（７）図書館向け書籍納入支援システムが備える書店対取次店注文情報生成部が、図書館対書店注文情報記憶部に記憶した図書館対書店注文情報に含まれる書籍毎に、図書館対書店注文情報の冊数から、在庫分書籍情報記憶部に記憶した在庫分書籍情報の冊数を引き、その差分が１以上のときは、その差分を冊数として書籍識別情報と対応付けて、書店から取次店への注文情報である書店対取次店注文情報を生成する書店対取次店注文情報生成工程
（８）図書館向け書籍納入支援システムが備える書店対取次店注文情報記憶部が、生成した書店対取次店注文情報を記憶する書店対取次店注文情報記憶工程
（９）図書館向け書籍納入支援システムが備える書店対取次店注文情報出力部が、生成した書店対取次店注文情報を出力する書店対取次店注文情報出力工程
（１０）図書館向け書籍納入支援システムが備える受入分書籍コード読取りプログラム送信部が、コードの読み取りにより、書籍識別情報を特定させる受入分書籍コード読取りプログラムを、書店端末へ送信する受入分書籍コード読取りプログラム送信工程
（１１）図書館向け書籍納入支援システムが備える入荷書籍情報受信部が、受入分書籍コード読取りプログラムにより特定された書籍識別情報と、冊数とを、取次店から書店へ入荷した書籍の情報である入荷書籍情報として、書店端末から受信する入荷書籍情報受信工程
（１２）図書館向け書籍納入支援システムが備える受入検収結果生成部が、受信した入荷書籍情報または書店対取次店注文情報記憶部に記憶した書店対取次店注文情報に含まれる書籍毎に、書店対取次店注文情報に含まれる書籍の冊数と、入荷書籍情報に含まれる書籍の冊数とを比較し、入荷書籍情報の冊数が少ない場合及び等しい場合には、入荷書籍情報の冊数を受入分書籍情報に含まれる書籍の冊数として書籍識別情報と対応付け、入荷書籍情報の冊数が多い場合には、書店対取次店注文情報の冊数を受入分書籍情報に含まれる書籍の冊数として書籍識別情報と対応付けて、当該受入分書籍情報を含む受入検収結果を生成する受入検収結果生成工程
（１３）図書館向け書籍納入支援システムが備える書誌データベース注文情報生成部が、生成した受入検収結果に含まれる受入分書籍情報に含まれる書籍識別情報と、在庫分書籍情報記憶部に記憶した在庫分書籍情報に含まれる書籍識別情報とを含む書誌データベース注文情報を生成する書誌データベース注文情報生成工程。
【請求項４】
書店端末と接続可能な図書館向け書籍納入支援システムによる図書館向け書籍納入支援方法であって、以下の要素を有することを特徴とする図書館向け書籍納入支援方法
（１）図書館向け書籍納入支援システムが備える図書館対書店注文情報入力部が、図書館から書店へ注文する書籍の書籍識別情報と冊数を含む図書館対書店注文情報を入力する図書館対書店注文情報入力工程
（２）図書館向け書籍納入支援システムが備える図書館対書店注文情報記憶部が、入力した図書館対書店注文情報を記憶する図書館対書店注文情報記憶工程
（３）図書館向け書籍納入支援システムが備える図書館対書店注文情報転送部が、入力した図書館対書店注文情報を、書店端末に対して転送する図書館対書店注文情報転送工程
（４）図書館向け書籍納入支援システムが備える在庫分書籍コード読取りプログラム送信部が、図書館対書店注文情報に含まれる書籍のうち、書店で在庫されているものについての書籍識別情報を、コードの読み取りにより特定させる在庫分書籍コード読取りプログラムを、図書館対書店注文情報とともに書店端末へ送信する在庫分書籍コード読取りプログラム送信工程
（５）図書館向け書籍納入支援システムが備える在庫分書籍情報受信部が、在庫分書籍コード読取りプログラムにより特定された書籍識別情報と、冊数とを、在庫分書籍情報として、書店端末から受信する在庫分書籍情報受信工程
（６）図書館向け書籍納入支援システムが備える在庫分書籍情報記憶部が、受信した在庫分書籍情報を記憶する在庫分書籍情報記憶工程
（７）図書館向け書籍納入支援システムが備える書店対取次店注文情報生成部が、図書館対書店注文情報記憶部に記憶した図書館対書店注文情報に含まれる書籍毎に、図書館対書店注文情報の冊数から、在庫分書籍情報記憶部に記憶した在庫分書籍情報の冊数を引き、その差分が１以上のときは、その差分を冊数として書籍識別情報と対応付けて、書店から取次店への注文情報である書店対取次店注文情報を生成する書店対取次店注文情報生成工程
（８）図書館向け書籍納入支援システムが備える書店対取次店注文情報記憶部が、生成した書店対取次店注文情報を記憶する書店対取次店注文情報記憶工程
（９）図書館向け書籍納入支援システムが備える書店対取次店注文情報出力部が、生成した書店対取次店注文情報を出力する書店対取次店注文情報出力工程
（１０）図書館向け書籍納入支援システムが備える受入分書籍コード読取りプログラム送信部が、コードの読み取りにより、書籍識別情報を特定させる受入分書籍コード読取りプログラムを、書店端末へ送信する受入分書籍コード読取りプログラム送信工程
（１１）図書館向け書籍納入支援システムが備える入荷書籍情報受信部が、受入分書籍コード読取りプログラムにより特定された書籍識別情報と、冊数とを、取次店から書店へ入荷した書籍の情報である入荷書籍情報として、書店端末から受信する入荷書籍情報受信工程
（１２）図書館向け書籍納入支援システムが備える受入検収結果生成部が、受信した入荷書籍情報または書店対取次店注文情報記憶部に記憶した書店対取次店注文情報に含まれる書籍毎に、書店対取次店注文情報に含まれる書籍の冊数と、入荷書籍情報に含まれる書籍の冊数とを比較し、入荷書籍情報の冊数が少ない場合及び等しい場合には、入荷書籍情報の冊数を受入分書籍情報に含まれる書籍の冊数として書籍識別情報と対応付け、入荷書籍情報の冊数が多い場合には、書店対取次店注文情報の冊数を受入分書籍情報に含まれる書籍の冊数として書籍識別情報と対応付けて、当該受入分書籍情報を含む受入検収結果を生成する受入検収結果生成工程
（１３）図書館向け書籍納入支援システムが備える図書カード注文情報生成部が、生成した受入検収結果に含まれる受入分書籍情報に含まれる書籍識別情報と、在庫分書籍情報記憶部に記憶した在庫分書籍情報に含まれる書籍識別情報とを含む図書カード注文情報を生成する図書カード注文情報生成工程。
【請求項５】
書店端末と接続可能な図書館向け書籍納入支援システムとなるコンピュータに、以下の処理を実行させるためのプログラムを記録したコンピュータ読み取り可能な記録媒体
（１）図書館対書店注文情報入力部として、図書館から書店へ注文する書籍の書籍識別情報と冊数を含む図書館対書店注文情報を入力する図書館対書店注文情報入力処理
（２）図書館向け書籍納入支援システムが備える記憶部が、入力した図書館対書店注文情報を記憶する図書館対書店注文情報記憶処理
（３）図書館対書店注文情報転送部として、入力した図書館対書店注文情報を、書店端末に対して転送する図書館対書店注文情報転送処理
（４）在庫分書籍コード読取りプログラム送信部として、図書館対書店注文情報に含まれる書籍のうち、書店で在庫されているものについての書籍識別情報を、コードの読み取りにより特定させる在庫分書籍コード読取りプログラムを、図書館対書店注文情報とともに書店端末へ送信する在庫分書籍コード読取りプログラム送信処理
（５）在庫分書籍情報受信部として、在庫分書籍コード読取りプログラムにより特定された書籍識別情報と、冊数とを、在庫分書籍情報として、書店端末から受信する在庫分書籍情報受信処理
（６）図書館向け書籍納入支援システムが備える記憶部が、受信した在庫分書籍情報を記憶する在庫分書籍情報記憶処理
（７）書店対取次店注文情報生成部として、図書館対書店注文情報記憶処理で記憶部に記憶した図書館対書店注文情報に含まれる書籍毎に、図書館対書店注文情報の冊数から、在庫分書籍情報記憶処理で記憶部に記憶した在庫分書籍情報の冊数を引き、その差分が１以上のときは、その差分を冊数として書籍識別情報と対応付けて、書店から取次店への注文情報である書店対取次店注文情報を生成する書店対取次店注文情報生成処理
（８）図書館向け書籍納入支援システムが備える記憶部が、生成した書店対取次店注文情報を記憶する書店対取次店注文情報記憶処理
（９）書店対取次店注文情報出力部として、生成した書店対取次店注文情報を出力する書店対取次店注文情報出力処理
（１０）受入分書籍コード読取りプログラム送信部として、コードの読み取りにより、書籍識別情報を特定させる受入分書籍コード読取りプログラムを、書店端末へ送信する受入分書籍コード読取りプログラム送信処理
（１１）入荷書籍情報受信部として、受入分書籍コード読取りプログラムにより特定された書籍識別情報と、冊数とを、取次店から書店へ入荷した書籍の情報である入荷書籍情報として、書店端末から受信する入荷書籍情報受信処理
（１２）受入検収結果生成部として、受信した入荷書籍情報または書店対取次店注文情報記憶処理で記憶部に記憶した書店対取次店注文情報に含まれる書籍毎に、書店対取次店注文情報に含まれる書籍の冊数と、入荷書籍情報に含まれる書籍の冊数とを比較し、入荷書籍情報の冊数が少ない場合及び等しい場合には、入荷書籍情報の冊数を受入分書籍情報に含まれる書籍の冊数として書籍識別情報と対応付け、入荷書籍情報の冊数が多い場合には、書店対取次店注文情報の冊数を受入分書籍情報に含まれる書籍の冊数として書籍識別情報と対応付けて、当該受入分書籍情報を含む受入検収結果を生成する受入検収結果生成処理
（１３）書誌データベース注文情報生成部として、生成した受入検収結果に含まれる受入分書籍情報に含まれる書籍識別情報と、在庫分書籍情報記憶処理で記憶部に記憶した在庫分書籍情報に含まれる書籍識別情報とを含む書誌データベース注文情報を生成する書誌データベース注文情報生成処理。
【請求項６】
書店端末と接続可能な図書館向け書籍納入支援システムとなるコンピュータに、以下の処理を実行させるためのプログラムを記録したコンピュータ読み取り可能な記録媒体
（１）図書館対書店注文情報入力部として、図書館から書店へ注文する書籍の書籍識別情報と冊数を含む図書館対書店注文情報を入力する図書館対書店注文情報入力処理
（２）図書館向け書籍納入支援システムが備える記憶部が、入力した図書館対書店注文情報を記憶する図書館対書店注文情報記憶処理
（３）図書館対書店注文情報転送部として、入力した図書館対書店注文情報を、書店端末に対して転送する図書館対書店注文情報転送処理
（４）在庫分書籍コード読取りプログラム送信部として、図書館対書店注文情報に含まれる書籍のうち、書店で在庫されているものについての書籍識別情報を、コードの読み取りにより特定させる在庫分書籍コード読取りプログラムを、図書館対書店注文情報とともに書店端末へ送信する在庫分書籍コード読取りプログラム送信処理
（５）在庫分書籍情報受信部として、在庫分書籍コード読取りプログラムにより特定された書籍識別情報と、冊数とを、在庫分書籍情報として、書店端末から受信する在庫分書籍情報受信処理
（６）図書館向け書籍納入支援システムが備える記憶部が、受信した在庫分書籍情報を記憶する在庫分書籍情報記憶処理
（７）書店対取次店注文情報生成部として、図書館対書店注文情報記憶処理で記憶部に記憶した図書館対書店注文情報に含まれる書籍毎に、図書館対書店注文情報の冊数から、在庫分書籍情報記憶処理で記憶部に記憶した在庫分書籍情報の冊数を引き、その差分が１以上のときは、その差分を冊数として書籍識別情報と対応付けて、書店から取次店への注文情報である書店対取次店注文情報を生成する書店対取次店注文情報生成処理
（８）図書館向け書籍納入支援システムが備える記憶部が、生成した書店対取次店注文情報を記憶する書店対取次店注文情報記憶処理
（９）書店対取次店注文情報出力部として、生成した書店対取次店注文情報を出力する書店対取次店注文情報出力処理
（１０）受入分書籍コード読取りプログラム送信部として、コードの読み取りにより、書籍識別情報を特定させる受入分書籍コード読取りプログラムを、書店端末へ送信する受入分書籍コード読取りプログラム送信処理
（１１）入荷書籍情報受信部として、受入分書籍コード読取りプログラムにより特定された書籍識別情報と、冊数とを、取次店から書店へ入荷した書籍の情報である入荷書籍情報として、書店端末から受信する入荷書籍情報受信処理
（１２）受入検収結果生成部として、受信した入荷書籍情報または書店対取次店注文情報記憶処理で記憶部に記憶した書店対取次店注文情報に含まれる書籍毎に、書店対取次店注文情報に含まれる書籍の冊数と、入荷書籍情報に含まれる書籍の冊数とを比較し、入荷書籍情報の冊数が少ない場合及び等しい場合には、入荷書籍情報の冊数を受入分書籍情報に含まれる書籍の冊数として書籍識別情報と対応付け、入荷書籍情報の冊数が多い場合には、書店対取次店注文情報の冊数を受入分書籍情報に含まれる書籍の冊数として書籍識別情報と対応付けて、当該受入分書籍情報を含む受入検収結果を生成する受入検収結果生成処理
（１３）図書カード注文情報生成部として、生成した受入検収結果に含まれる受入分書籍情報に含まれる書籍識別情報と、在庫分書籍情報記憶処理で記憶部に記憶した在庫分書籍情報に含まれる書籍識別情報とを含む図書カード注文情報を生成する図書カード注文情報生成処理。
【請求項７】
書店端末と接続可能な図書館向け書籍納入支援システムとなるコンピュータに、以下の手順を実行させるためのプログラム
（１）図書館対書店注文情報入力部として、図書館から書店へ注文する書籍の書籍識別情報と冊数を含む図書館対書店注文情報を入力する図書館対書店注文情報入力手順
（２）図書館向け書籍納入支援システムが備える記憶部が、入力した図書館対書店注文情報を記憶する図書館対書店注文情報記憶手順
（３）図書館対書店注文情報転送部として、入力した図書館対書店注文情報を、書店端末に対して転送する図書館対書店注文情報転送手順
（４）在庫分書籍コード読取りプログラム送信部として、図書館対書店注文情報に含まれる書籍のうち、書店で在庫されているものについての書籍識別情報を、コードの読み取りにより特定させる在庫分書籍コード読取りプログラムを、図書館対書店注文情報とともに書店端末へ送信する在庫分書籍コード読取りプログラム送信手順
（５）在庫分書籍情報受信部として、在庫分書籍コード読取りプログラムにより特定された書籍識別情報と、冊数とを、在庫分書籍情報として、書店端末から受信する在庫分書籍情報受信手順
（６）図書館向け書籍納入支援システムが備える記憶部が、受信した在庫分書籍情報を記憶する在庫分書籍情報記憶手順
（７）書店対取次店注文情報生成部として、図書館対書店注文情報記憶手順で記憶部に記憶した図書館対書店注文情報に含まれる書籍毎に、図書館対書店注文情報の冊数から、在庫分書籍情報記憶手順で記憶部に記憶した在庫分書籍情報の冊数を引き、その差分が１以上のときは、その差分を冊数として書籍識別情報と対応付けて、書店から取次店への注文情報である書店対取次店注文情報を生成する書店対取次店注文情報生成手順
（８）図書館向け書籍納入支援システムが備える記憶部が、生成した書店対取次店注文情報を記憶する書店対取次店注文情報記憶手順
（９）書店対取次店注文情報出力部として、生成した書店対取次店注文情報を出力する書店対取次店注文情報出力手順
（１０）受入分書籍コード読取りプログラム送信部として、コードの読み取りにより、書籍識別情報を特定させる受入分書籍コード読取りプログラムを、書店端末へ送信する受入分書籍コード読取りプログラム送信手順
（１１）入荷書籍情報受信部として、受入分書籍コード読取りプログラムにより特定された書籍識別情報と、冊数とを、取次店から書店へ入荷した書籍の情報である入荷書籍情報として、書店端末から受信する入荷書籍情報受信手順
（１２）受入検収結果生成部として、受信した入荷書籍情報または書店対取次店注文情報記憶手順で記憶部に記憶した書店対取次店注文情報に含まれる書籍毎に、書店対取次店注文情報に含まれる書籍の冊数と、入荷書籍情報に含まれる書籍の冊数とを比較し、入荷書籍情報の冊数が少ない場合及び等しい場合には、入荷書籍情報の冊数を受入分書籍情報に含まれる書籍の冊数として書籍識別情報と対応付け、入荷書籍情報の冊数が多い場合には、書店対取次店注文情報の冊数を受入分書籍情報に含まれる書籍の冊数として書籍識別情報と対応付けて、当該受入分書籍情報を含む受入検収結果を生成する受入検収結果生成手順
（１３）書誌データベース注文情報生成部として、生成した受入検収結果に含まれる受入分書籍情報に含まれる書籍識別情報と、在庫分書籍情報記憶手順で記憶部に記憶した在庫分書籍情報に含まれる書籍識別情報とを含む書誌データベース注文情報を生成する書誌データベース注文情報生成手順。
【請求項８】
書店端末と接続可能な図書館向け書籍納入支援システムとなるコンピュータに、以下の手順を実行させるためのプログラム
（１）図書館対書店注文情報入力部として、図書館から書店へ注文する書籍の書籍識別情報と冊数を含む図書館対書店注文情報を入力する図書館対書店注文情報入力手順
（２）図書館向け書籍納入支援システムが備える記憶部が、入力した図書館対書店注文情報を記憶する図書館対書店注文情報記憶手順
（３）図書館対書店注文情報転送部として、入力した図書館対書店注文情報を、書店端末に対して転送する図書館対書店注文情報転送手順
（４）在庫分書籍コード読取りプログラム送信部として、図書館対書店注文情報に含まれる書籍のうち、書店で在庫されているものについての書籍識別情報を、コードの読み取りにより特定させる在庫分書籍コード読取りプログラムを、図書館対書店注文情報とともに書店端末へ送信する在庫分書籍コード読取りプログラム送信手順
（５）在庫分書籍情報受信部として、在庫分書籍コード読取りプログラムにより特定された書籍識別情報と、冊数とを、在庫分書籍情報として、書店端末から受信する在庫分書籍情報受信手順
（６）図書館向け書籍納入支援システムが備える記憶部が、受信した在庫分書籍情報を記憶する在庫分書籍情報記憶手順
（７）書店対取次店注文情報生成部として、図書館対書店注文情報記憶手順で記憶部に記憶した図書館対書店注文情報に含まれる書籍毎に、図書館対書店注文情報の冊数から、在庫分書籍情報記憶手順で記憶部に記憶した在庫分書籍情報の冊数を引き、その差分が１以上のときは、その差分を冊数として書籍識別情報と対応付けて、書店から取次店への注文情報である書店対取次店注文情報を生成する書店対取次店注文情報生成手順
（８）図書館向け書籍納入支援システムが備える記憶部が、生成した書店対取次店注文情報を記憶する書店対取次店注文情報記憶手順
（９）書店対取次店注文情報出力部として、生成した書店対取次店注文情報を出力する書店対取次店注文情報出力手順
（１０）受入分書籍コード読取りプログラム送信部として、コードの読み取りにより、書籍識別情報を特定させる受入分書籍コード読取りプログラムを、書店端末へ送信する受入分書籍コード読取りプログラム送信手順
（１１）入荷書籍情報受信部として、受入分書籍コード読取りプログラムにより特定された書籍識別情報と、冊数とを、取次店から書店へ入荷した書籍の情報である入荷書籍情報として、書店端末から受信する入荷書籍情報受信手順
（１２）受入検収結果生成部として、受信した入荷書籍情報または書店対取次店注文情報記憶手順で記憶部に記憶した書店対取次店注文情報に含まれる書籍毎に、書店対取次店注文情報に含まれる書籍の冊数と、入荷書籍情報に含まれる書籍の冊数とを比較し、入荷書籍情報の冊数が少ない場合及び等しい場合には、入荷書籍情報の冊数を受入分書籍情報に含まれる書籍の冊数として書籍識別情報と対応付け、入荷書籍情報の冊数が多い場合には、書店対取次店注文情報の冊数を受入分書籍情報に含まれる書籍の冊数として書籍識別情報と対応付けて、当該受入分書籍情報を含む受入検収結果を生成する受入検収結果生成手順
（１３）書誌データベース注文情報生成部として、生成した受入検収結果に含まれる受入分書籍情報に含まれる書籍識別情報と、在庫分書籍情報記憶手順で記憶部に記憶した在庫分書籍情報に含まれる書籍識別情報とを含む書誌データベース注文情報を生成する書誌データベース注文情報生成手順。
【発明の詳細な説明】
【０００１】
【発明の属する技術分野】
本発明は、図書館向け書籍納入支援システムに係り、図書館への書籍納品に係る書店の労力を軽減するシステムに関する。
【０００２】
【従来の技術】
図１６は、図書館の書籍購入に伴う業務フローを示す図である。
図書館が、書籍を購入する場合、図書リストから注文する書籍を選択し、選択した書籍の注文を書店に仮発注する。この注文を、図書館対書店仮注文という。
【０００３】
書店は、受注した書籍のうち、在庫されているものを確認し、在庫分を除いた分の書籍の識別情報を注文情報として入力して、オンラインで取次店に発注する。この注文を、書店対取次店注文という。
【０００４】
書店は、その後、書店対取次店注文で発注した書籍を受入れ、先の在庫分とあわせて、図書館への納品の準備を行う。図書館へ書籍を納品する場合には、図書館の使用状態に適するように書籍の表装を行い、図書カードを作成し、書誌データベースを格納した記憶媒体を用意する。書籍データベースについては、書店自身が作成するか、あるいは、書籍の注文とは別に外部から取り寄せる。
【０００５】
これらの準備が整った時点で、書籍、及び付属品である書誌データベース記録媒体と図書カードを、納品可能な分として図書館へ仮納品する。図書館では、仮納品された書籍（付属品を含む）について、改めて本発注を行う。それと同時に仮納品が本納品の扱いとなる。
【０００６】
尚、図書カードは、図書館における書籍の管理や検索に用いられるカードであって、登録番号、著者、書名、版年、出版者、価格、記号等の項目を所定の様式に従って、印刷したものである。また、書誌データベースは、図書館における書籍の管理や検索に用いられるデータベースであって、ＩＳＢＮ、著者、書名、版年、出版者、価格、ページ数、厚さ、副書名等の項目からなるコンピュータで利用可能な情報である。
【０００７】
上述の図書館と書店の取引において、書店における取次店への発注と受入の手続きは煩雑であり、更に、図書館への納品の準備をすることは、面倒な作業を要する。
【０００８】
【発明が解決しようとする課題】
本発明は、上記した従来技術の欠点を除くためになされたものであって、その目的とするところは、図書館への書籍納品に係る書店の労力を軽減するシステムを提供することを目的とする。
【０００９】
【課題を解決するための手段】
本発明に係る図書館向け書籍納入支援システムは、
以下の要素を有することを特徴とする
（１）図書館から書店への書籍の注文情報である図書館対書店注文情報を入力する図書館対書店注文情報入力部
（２）図書館対書店注文情報に含まれる書籍のうち、書店内に在庫されている書籍の情報である在庫分書籍情報を入力する在庫分書籍情報入力部
（３）図書館対書店注文情報に含まれる書籍のうち、在庫分書籍情報に含まれる書籍を除いたものを、書店から取次店への注文情報である書店対取次店注文情報とする書店対取次店注文情報生成部
（４）生成した書店対取次店注文情報を出力する書店対取次店注文情報出力部
（５）取次店から書店へ入荷した書籍の情報である入荷書籍情報を入力する入荷書籍情報入力部
（６）書店対取次店注文情報に含まれる書籍のうち、入荷書籍情報に含まれるものを、受入分書籍情報とし、入荷書籍情報に含まれないものを、未納分書籍情報とし、受入分書籍情報と未納分書籍情報とを含む受入検収果を生成する受入検収結果生成部
（７）生成した受入検収結果を出力する受入検収結果出力部。
【００１０】
上記図書館向け書籍納入支援システムは、更に、
生成した受入検収結果に含まれる入荷書籍情報に含まれる書籍の情報と、上記在庫分書籍情報に含まれる書籍の情報とからなる書誌データベース注文情報を生成する書誌データベース注文情報生成部と、
生成した書誌データベース注文情報を出力する書誌データベース注文情報出力部とを有することを特徴とする。
【００１１】
上記図書館向け書籍納入支援システムは、更に、
生成した受入検収結果に含まれる入荷書籍情報に含まれる書籍の情報と、上記在庫分書籍情報に含まれる書籍の情報とからなる図書カード注文情報を生成する図書カード注文情報生成部と、
生成した図書カード注文情報を出力する図書カード注文情報出力部とを有することを特徴とする。
【００１２】
上記図書館向け書籍納入支援システムは、図書館システムと、書店端末と、取次店システムとに接続可能であって、
上記図書館対書店注文情報入力部は、図書館システムから図書館対書店注文情報を受信する図書館対書店注文情報受信部であって、
上記在庫分書籍情報入力部は、書店端末から在庫分書籍情報を受信する在庫分書籍情報受信部であって、
上記書店対取次店注文情報出力部は、取次店システムへ書店対取次店注文情報を送信する書店対取次店注文情報送信部であって、
上記入荷書籍情報入力部は、書店端末から入荷書籍情報を受信する入荷書籍情報受信部であって、
上記受入検収結果出力部は、受入検収結果を書店端末に送信する受入検収結果送信部であることを特徴とする。
【００１３】
上記図書館向け書籍納入支援システムは、更に、
生成した受入検収結果に含まれる入荷書籍情報に含まれる書籍の情報と、上記在庫分書籍情報に含まれる書籍の情報とからなる書誌データベース注文情報を生成する書誌データベース注文情報生成部と、
生成した書誌データベース注文情報に従って、書誌データベースを生成する書誌データベース生成部と、
生成した書誌データベースを、書店端末に送信する書誌データベース送信部とを有することを特徴とする。
【００１４】
上記図書館向け書籍納入支援システムは、更に、
生成した受入検収結果に含まれる入荷書籍情報に含まれる書籍の情報と、上記在庫分書籍情報に含まれる書籍の情報とからなる図書カード注文情報を生成する図書カード注文情報生成部と、
生成した図書カード注文情報に従って、図書カードに印刷する図書カード情報を生成する図書カード情報生成部と、
生成した図書カード情報を、書店端末に送信する図書カード情報送信部とを有することを特徴とする。
【００１５】
上記図書館向け書籍納入支援システムは、更に、生成された受入検収結果に含まれる未納分書籍情報を記憶する未納分書籍情報記憶部を有し、
受入検収結果生成部は、書店対取次店注文情報に含まれる書籍のうち、入荷書籍情報に含まれるものを、受入分書籍情報とし、入荷書籍情報に含まれないものを、未納分書籍情報とし、更に、上記未納分書籍情報記憶部に記憶している未納分書籍情報に含まれる書籍のうち、入荷書籍情報に含まれるものを、受入分書籍情報に加え、入荷書籍情報に含まれないものを、未納分書籍情報に加え、受入分書籍情報と未納分書籍情報とを含む受入検収果を生成することを特徴とする。
【００１６】
本発明に係る図書館向け書籍納入支援システムによる図書館向け書籍納入支援方法は、
以下の要素を有することを特徴とする
（１）図書館から書店への書籍の注文情報である図書館対書店注文情報を入力する図書館対書店注文情報入力工程
（２）図書館対書店注文情報に含まれる書籍のうち、書店内に在庫されている書籍の情報である在庫分書籍情報を入力する在庫分書籍情報入力工程
（３）図書館対書店注文情報に含まれる書籍のうち、在庫分書籍情報に含まれる書籍を除いたものを、書店から取次店への注文情報である書店対取次店注文情報とする書店対取次店注文情報生成工程
（４）生成した書店対取次店注文情報を出力する書店対取次店注文情報出力工程（５）取次店から書店へ入荷した書籍の情報である入荷書籍情報を入力する入荷書籍情報入力工程
（６）書店対取次店注文情報に含まれる書籍のうち、入荷書籍情報に含まれるものを、受入分書籍情報とし、入荷書籍情報に含まれないものを、未納分書籍情報とし、受入分書籍情報と未納分書籍情報とを含む受入検収果を生成する受入検収結果生成工程
（７）生成した受入検収結果を出力する受入検収結果出力工程。
【００１７】
本発明に係るプログラムを記録したコンピュータ読み取り可能な記録媒体は、図書館向け書籍納入支援システムとなるコンピュータに、以下の処理を実行させるためのプログラムを記録したコンピュータ読み取り可能な記録媒体であることを特徴とする
（１）図書館から書店への書籍の注文情報である図書館対書店注文情報を入力する図書館対書店注文情報入力処理
（２）図書館対書店注文情報に含まれる書籍のうち、書店内に在庫されている書籍の情報である在庫分書籍情報を入力する在庫分書籍情報入力処理
（３）図書館対書店注文情報に含まれる書籍のうち、在庫分書籍情報に含まれる書籍を除いたものを、書店から取次店への注文情報である書店対取次店注文情報とする書店対取次店注文情報生成処理
（４）生成した書店対取次店注文情報を出力する書店対取次店注文情報出力工程（５）取次店から書店へ入荷した書籍の情報である入荷書籍情報を入力する入荷書籍情報入力処理
（６）書店対取次店注文情報に含まれる書籍のうち、入荷書籍情報に含まれるものを、受入分書籍情報とし、入荷書籍情報に含まれないものを、未納分書籍情報とし、受入分書籍情報と未納分書籍情報とを含む受入検収果を生成する受入検収結果生成処理
（７）生成した受入検収結果を出力する受入検収結果出力処理。
【００１８】
本発明に係るプログラムは、
図書館向け書籍納入支援システムとなるコンピュータに、以下の手順を実行させるためのプログラムであることを特徴とする
（１）図書館から書店への書籍の注文情報である図書館対書店注文情報を入力する図書館対書店注文情報入力手順
（２）図書館対書店注文情報に含まれる書籍のうち、書店内に在庫されている書籍の情報である在庫分書籍情報を入力する在庫分書籍情報入力手順
（３）図書館対書店注文情報に含まれる書籍のうち、在庫分書籍情報に含まれる書籍を除いたものを、書店から取次店への注文情報である書店対取次店注文情報とする書店対取次店注文情報生成手順
（４）生成した書店対取次店注文情報を出力する書店対取次店注文情報出力手順
（５）取次店から書店へ入荷した書籍の情報である入荷書籍情報を入力する入荷書籍情報入力手順
（６）書店対取次店注文情報に含まれる書籍のうち、入荷書籍情報に含まれるものを、受入分書籍情報とし、入荷書籍情報に含まれないものを、未納分書籍情報とし、受入分書籍情報と未納分書籍情報とを含む受入検収果を生成する受入検収結果生成手順
（７）生成した受入検収結果を出力する受入検収結果出力手順。
【００１９】
【発明の実施の形態】
実施の形態１．
以下本発明を図面に示す実施例に基づいて説明する。まず、取次店への注文情報を得るまでの動作に関して説明する。
図１は、図書館向け書籍納入支援システムのうち、図書館からの仮受注から取次店への発注までの処理に関する構成を示す図である。
１０１は、図書館対書店仮注文情報入力部、１０２は、図書館対書店仮注文情報記憶部、１０３は、在庫分書籍情報入力部、１０４は、在庫分書籍情報記憶部、１０５は、書店対取次店注文情報生成部、１０６は、書店対取次店注文情報記憶部、１０７は、書店対取次店注文情報出力部である。尚、図書館対書店仮注文情報入力部１０１は、図書館対書店注文情報入力部の例であり、図書館対書店仮注文情報記憶部１０２は、図書館対書店注文情報記憶部の例である。
【００２０】
次に、この例で用いる情報の例を示す。図２は、各注文情報及び各書籍情報の例を示す図である。
２００は、図書館から書店への仮注文に係る書籍を特定する図書館対書店仮注文情報、２１０は、図書館対書店仮注文情報２００うち書店に在庫されている書籍を特定する在庫分書籍情報、２２０は、書店から取次店への仮注文に係る書籍を特定する書店対取次店注文情報、２３０は、取次店から書店へ入荷した書籍を特定する入荷書籍情報、２４０は、入荷した書籍の受入検収の結果である受入検収結果、２５０は、書店対取次店注文情報２２０に基づいて受け入れた書籍を特定する受入分書籍情報、２６０は、書店対取次店注文情報２２０の書籍のうち未入荷の書籍を特定する未納分書籍情報、２７０は、入荷した書籍のうち書店対取次店注文情報２２０の対象でない書籍を特定する発注外書籍情報、２８０は、書誌データベースの注文に係る書籍を特定する書誌データベース注文情報、２９０は、図書カードの注文に係る書籍を特定する図書カード注文情報である。
それぞれ、書籍識別情報と冊数の項目を備え、書籍毎にレコードを設けている。書籍識別情報は、書籍を識別する情報であり、例えば、ＩＳＢＮ（Ｉｎｔｅｒｎａｔｉｏｎａｌ  Ｓｔａｎｄａｒｄ  Ｂｏｏｋ  Ｎｕｍｂｅｒ）や書籍コードが相当する。但し、冊数の項目を備えずに、冊数分の同じ書籍識別情報のレコードを設け、冊数の代わりにレコード数をカウントするようにすることもできる。その場合、冊数の増減に代えて、レコード自体を増減する。尚、図書館対書店仮注文情報２００は、図書館対書店仮注文情報の例である。
【００２１】
続いて、図書館からの仮受注から取次店への発注の処理について説明する。
図３は、図書館からの仮受注から取次店への発注の処理フローを示す図である。図書館対書店仮注文情報入力部１０１は、図書館対書店仮注文情報（例えば、図２の２００）を入力し（Ｓ３０１）、図書館対書店仮注文情報記憶部１０２は、入力した図書館対書店仮注文情報を記憶する（Ｓ３０２）。尚、この図書館対書店仮注文情報を、出力することも可能である。
【００２２】
一方、在庫分書籍情報入力部１０３は、図書館対書店仮注文情報に含まれる書籍のうち、書店で在庫されているものについての在庫分書籍情報（例えば、図２の２１０）を入力する（Ｓ３０３）。在庫分書籍情報記憶部１０４は、入力した在庫分書籍情報を記憶する（Ｓ３０４）。
【００２３】
書店対取次店注文情報生成部１０５は、図書館対書店仮注文情報と在庫分書籍情報に基づいて、書店対取次店注文情報を生成する（Ｓ３０５）。図４は、書店対取次店注文情報の生成の処理フローを示す図である。
【００２４】
書店対取次店注文情報生成部１０５は、図書館対書店仮注文情報の各レコードに対して以下の処理を繰り返す（Ｓ４０１）。図書館対書店仮注文情報の冊数から在庫分書籍情報の冊数を引き（Ｓ４０２）、その差分が１以上のときは、それを書店対取次店注文情報の冊数として、書籍識別情報と対応付けてレコードを追加する（Ｓ４０３）。
【００２５】
この処理をすべてのレコードについて処理を終了したときに終了する（Ｓ４０４）。これにより、書店対取次店注文情報（例えば、図２の２２０）が得られる。
【００２６】
図３に示すように、書店対取次店注文情報記憶部１０６は、生成した書店対取次店注文情報を記憶し（Ｓ３０６）、書店対取次店注文情報出力部１０７は、書店対取次店注文情報を出力する（Ｓ３０７）。
上述の処理により、取次店への注文情報が自動的に得られる。
【００２７】
次に、書誌データベースと図書カードの発注までの動作について説明する。
図５は、図書館向け書籍納入支援システムのうち、受入検収、及び書誌データベースと図書カードの発注の処理に関する構成を示す図である。
５０１は、入荷書籍情報入力部、５０２は、受入検収結果生成部、５０３は、受入検収結果出力部、５０４は、未納分書籍情報記憶部、５０５は、書誌データベース注文情報生成部、５０６は、書誌データベース注文情報出力部、５０７は、図書カード注文情報生成部、５０８は、図書カード注文情報出力部である。
【００２８】
これらの構成に基づく処理について説明する。
図６は、受入検収、及び書誌データベースと図書カードの発注の処理フローを示す図である。入荷書籍情報入力部５０１は、入荷書籍情報（例えば、図２の２３０）を入力する（Ｓ６０１）。
【００２９】
受入検収結果生成部５０２は、書店対取次店注文情報と入荷書籍情報に基づいて、受入検収結果を生成する（Ｓ６０２）。図７は、受入検収結果の生成の処理フローを示す図である。
【００３０】
受入検収結果生成部５０２は、入荷書籍情報または書店対取次店注文情報に含まれる書籍識別情報（例えば、図２の２３１〜２３３と、２２１〜２２３のレコードに含まれる書籍識別情報）に対して以下の処理を繰り返す（Ｓ７０１）。
【００３１】
受入検収結果生成部５０２は、書籍識別情報に対応する入荷書籍情報の冊数と書店対取次店注文情報の冊数を比較する。対応するレコードが無い場合は、冊数を０として扱う。
【００３２】
入荷書籍情報の冊数が少ない場合には、まず、入荷書籍情報の冊数を、受入分書籍情報の冊数として、書籍識別情報と対応付けて、受入分書籍情報（例えば、図２の２５０）にレコードを追加し（Ｓ７０３）、更に、差分を、未納分書籍情報の冊数として、書籍識別情報と対応付けて、未納分書籍情報（例えば、図２の２６０）にレコードを追加する（Ｓ７０４）。
【００３３】
一方、比較（Ｓ７０２）の結果が等しい場合には、入荷書籍情報の冊数を、受入分書籍情報の冊数として、書籍識別情報と対応付けて、受入分書籍情報にレコードを追加する（Ｓ７０５）。
【００３４】
他方、比較（Ｓ７０２）の結果、入荷書籍情報の冊数が多い場合には、書店対取次店注文情報の冊数を、受入分書籍情報の冊数として、書籍識別情報と対応付けて、受入分書籍情報にレコードを追加し（Ｓ７０６）、差分を発注外書籍情報の冊数として、書籍識別情報と対応付けて、発注外書籍情報（例えば、図２の２７０）にレコードを追加する（Ｓ７０７）。
【００３５】
すべての書籍識別情報について、上述の処理した時点で終了する（Ｓ７０８）。
【００３６】
図６に示すように、受入検収結果出力部５０３は、生成した受入検収結果を出力する（Ｓ６０３）。受入検収結果により、仮注文に対して納品可能な書籍と、不可能な書籍を区別することができる。尚、発注外書籍情報を、受入検収結果に含めないようにすることもできる。
【００３７】
次に、書誌データベース注文情報生成部５０５は、在庫分書籍情報と受入分書籍情報に基づいて、書誌データベース注文情報を生成する（Ｓ６０４）。
図８は、書誌データベース注文情報の生成の処理フローを示す図である。書誌データベース注文情報生成部５０５は、在庫分書籍情報または受入分書籍情報に含まれる書籍識別情報（例えば、図２の２１１〜２１３と、２５１〜２５２のレコードに含まれる書籍識別情報）に対して以下の処理を繰り返す（Ｓ８０１）。
【００３８】
在庫分書籍情報の冊数と、受入分書籍情報の冊数を加算し（Ｓ８０２）、その和を書誌データベース注文情報の冊数として、書籍識別情報と対応付けて、書誌データベース注文情報にレコードを追加する（Ｓ８０３）。すべての書籍識別情報について処理した時点で終了する（Ｓ８０４）。
【００３９】
図６に示すように、書誌データベース注文情報出力部５０６は、書誌データベース注文情報を出力する（Ｓ６０５）。書店は、この情報により、外部へ書誌データベースを発注することができる。
【００４０】
続いて、図書カード注文情報生成部５０７は、在庫分書籍情報と受入分書籍情報に基づいて、図書カード注文情報を生成する（Ｓ６０６）。
図９は、図書カード注文情報の生成の処理フローを示す図である。図書カード注文情報生成部５０７は、在庫分書籍情報または受入分書籍情報に含まれる書籍識別情報（例えば、図２の２１１〜２１３と、２５１〜２５２のレコードに含まれる書籍識別情報）に対して以下の処理を繰り返す（Ｓ９０１）。
【００４１】
在庫分書籍情報の冊数と、受入分書籍情報の冊数を加算し（Ｓ９０２）、その和を図書カード注文情報の冊数として、書籍識別情報と対応つけて、図書カード注文情報にレコードを追加する（Ｓ９０３）。
【００４２】
すべての書籍識別情報について処理した時点で、処理を終了する（Ｓ９０４）。
【００４３】
図６に示すように、図書カード注文情報出力部５０８は、図書カード注文情報を出力する（Ｓ６０７）。書店は、この情報により、外部へ図書カードを発注することができる。
【００４４】
実施の形態２．
本実施の形態では、未納入分の書籍について、継続して図書館への納品の対象とする場合について説明する。この場合、未納入分の書籍は、後の受入検収においても継続して受入対象とする。本実施の形態も、図１と図５の構成と、図３と図６の処理フローが有効である。
【００４５】
図１０は、実施の形態２における各注文情報及び各書籍情報の例を示す図である。この例では、前回の未納分として、１０１１と１０１２に示す書籍が受入の対象となっている。未納分書籍情報は、図６のＳ６０２の処理の後に、図５の未納分書籍情報記憶部５０４に記憶される。
【００４６】
図１１は、実施の形態２における受入検収結果の生成の処理フローを示す図である。受入検収結果生成部５０２は、入荷書籍情報、書店対取次店注文情報、または前回の未納分書籍情報に含まれる書籍識別情報（例えば、図１０の１００１〜１００４と、２２１〜２２３と、１０１１〜１０１２のレコードに含まれる書籍識別情報）に対して以下の処理を繰り返す（Ｓ１１０１）。
【００４７】
受入検収結果生成部５０２は、書籍識別情報に対応する書店対取次店注文情報の冊数と前回の未納分書籍情報の冊数の和を求め、入荷書籍情報の冊数とその和を比較する。対応するレコードが無い場合は、冊数を０として扱う。
【００４８】
入荷書籍情報の冊数が少ない場合には、まず、入荷書籍情報の冊数を、受入分書籍情報の冊数として、書籍識別情報と対応付けて、受入分書籍情報（例えば、図２の１０３０）にレコードを追加し（Ｓ１１０３）、更に、差分を、未納分書籍情報の冊数として、書籍識別情報と対応付けて、今回の未納分書籍情報（例えば、図２の１０４０）にレコードを追加する（Ｓ１１０４）。
【００４９】
一方、比較（Ｓ１１０２）の結果が等しい場合には、入荷書籍情報の冊数を、受入分書籍情報の冊数として、書籍識別情報と対応付けて、受入分書籍情報にレコードを追加する（Ｓ１１０５）。
【００５０】
他方、比較（Ｓ１１０２）の結果、入荷書籍情報の冊数が多い場合には、書店対取次店注文情報の冊数と前回の未納分書籍情報の冊数の和を、受入分書籍情報の冊数として、書籍識別情報と対応付けて、受入分書籍情報にレコードを追加し（Ｓ１１０６）、差分を発注外書籍情報の冊数として、書籍識別情報と対応付けて、発注外書籍情報（例えば、図１１の１０５０）にレコードを追加する（Ｓ１１０７）。
【００５１】
すべての書籍識別情報について、上述の処理した時点で終了する（Ｓ１１０８）。
【００５２】
このように処理することにより、図書館が未納分の書籍について継続して購買対象とする場合、図書館が繰り返し発注しなくてもよくなる。
【００５３】
実施の形態３．
図書館向け書籍納入支援システムがインターネット上のＡＳＰ（アプリケーションサービスプロバイダー）によるサーバである形態について説明する。
【００５４】
図１２は、実施の形態３における図書館向け書籍納入支援システムのうち、図書館からの仮受注から取次店への発注までの処理に関する構成を示す図である。
１２０１は、書籍リスト送信部、１２０２は、図書館対書店仮注文情報受信部、１２０３は、図書館対書店仮注文情報記憶部、１２０４は、書店選択部、１２０５は、図書館対書店仮注文情報転送部、１２０６は、在庫分書籍バーコード読取りプログラム送信部、１２０７は、在庫分書籍情報受信部、１２０８は、在庫分書籍情報記憶部、１２０９は、書店対取次店注文情報生成部、１２１０は、書店対取次店注文情報記憶部、１２１１は、書店対取次店注文情報送信部である。
【００５５】
図書館向け書籍納入支援システムはインターネットに接続し、図書館システムと書店端末からインターネットを介してアクセス可能な構成となっている。また、取次店システムに対して、インターネットあるいは専用線を介して、接続可能な構成となっている。但し、上記以外のネットワークを用いる場合も有効である。
【００５６】
図１３は、実施の形態３における図書館からの仮受注から取次店への発注までの処理フローを示す図である。
書籍リスト送信部１２０１は、図書館システムに対して、書籍リストを送信し（Ｓ１３０１）、図書館対書店仮注文情報受信部１２０２は、図書館システムから図書館対書店仮発注情報と、発注する書店を特定する書店識別情報を受信する（Ｓ１３０２）。
【００５７】
図書館対書店仮注文情報記憶部１２０３は、受信した図書館対書店仮発注情報と書店識別情報を記憶する（Ｓ１３０３）。
【００５８】
Ｓ１３０２で、書店を指定されない場合には、書店選択部１２０４は、所在地などに基づいて、自動的に発注する書店を選択する（Ｓ１３０４）。
【００５９】
発注された書店の書店端末に対して図書館対書店仮発注情報を転送する（Ｓ１３０５）。電子メールあるいは、認証した書店端末へＨＴＭＬ文書として転送する。ＨＴＭＬ文書とともに、在庫分書籍バーコード読取りプログラムを送信し（Ｓ１３０６）、バーコード読み取りにより、在庫分書籍情報を特定させることも有効である。
【００６０】
在庫分書籍情報受信部１２０７は、書店端末から在庫分書籍情報を受信する（Ｓ１３０７）。電子メールあるいは、前述のＨＴＭＬ文書への応答により受信する。
【００６１】
在庫分書籍情報記憶部１２０８は、受信した在庫分書籍情報を記憶する（Ｓ１３０８）。
【００６２】
書店対取次店注文情報生成部１２０９は、書店対取次店注文情報を生成し（Ｓ１３０９）、書店対取次店注文情報記憶部１２１０は、生成した書店対取次店注文情報を記憶する（Ｓ１３１０）。また、書店対取次店注文情報送信部１２１１は、取次店システムに、書店対取次店注文情報と書店識別情報を送信する（Ｓ１３１１）。これにより、書店に代わって、発注処理を代行する。
【００６３】
図１４は、実施の形態３における図書館向け書籍納入支援システムのうち、受入検収、及び書誌データベースと図書カードの発注の処理に関する構成を示す図である。
１４０１は、書店対取次店注文分書籍受入検収画面送信部、１４０２は、受入分書籍バーコード読取りプログラム送信部、１４０３は、入荷書籍情報受信部、１４０４は、受入検収結果生成部、１４０５は、受入検収結果送信部、１４０６は、未納分書籍情報記憶部、１４０７は、書誌データベース注文情報生成部、１４０８は、書誌データベース生成部、１４０９は、書誌データベース送信部、１４１０は、図書カード注文情報生成部、１４１１は、図書カード情報生成部、
１４１２は、図書カード情報送信部、１４１３は、図書カード印刷部である。
【００６４】
図１５は、実施の形態３における受入検収、及び書誌データベースと図書カードの発注の処理フローを示す図である。
書店対取次店注文分書籍受入検収画面送信部１４０１は、認証処理の後、書店対取次店注文分書籍受入検収画面を書店端末に送信する（Ｓ１５０１）。このとき、受入分書籍バーコード読取りプログラムを送信し（Ｓ１５０２）、バーコード読取りにより、書籍識別情報を特定させるようにすることも有効である。入荷書籍情報受信部１４０３は、書店端末から入荷書籍情報を受信する（Ｓ１５０３）。尚、電子メールにより受信してもよい。
【００６５】
受入検収結果生成部１４０４は、受入検収結果を生成し（Ｓ１５０４）、受入検収結果送信部１４０５は、受入検収結果を書店端末に送信する（Ｓ１５０５）。
【００６６】
その後、書誌データベース注文情報生成部１４０７は、書誌データベース注文情報を生成し（Ｓ１５０６）、書誌データベース生成部１４０８は、書誌データベース注文情報に基づいて、書誌データベースを生成する（Ｓ１５０７）。このとき、総合データベースから必要な情報を抽出する。書誌データベース送信部１４０９は、書誌データベースを書店端末へ送信する（Ｓ１５０８）。書誌データベースは、送信せずに、記憶媒体に記憶させ、引き渡すようにしてもよい。
【００６７】
また、図書カード注文情報生成部１４１０は、図書カード注文情報を生成し（Ｓ１５０９）、図書カード情報生成部１４１１は、図書館カード情報を生成する（Ｓ１５１０）。このとき、総合データベースから必要な情報を抽出する。図書カード情報送信部１４１２は、図書カード情報を書店端末へ送信する（Ｓ１５１１）。書店端末は、これをカードに印刷することができる。なお、図書カード印刷部１４１３でカードに印刷し、カードを引き渡すようにしてもよい。
【００６８】
その後、書誌データベース情報の注文情報に基づいて、納品及び請求の処理が行われる。また、図書カードの注文情報に基づいて、納品及び請求の処理が行われる。図には示していないが、それぞれの納品書の作成と出力（送信の場合もある。）、同じく請求書の作成と出力（送信の場合もある。）の処理を行うように構成することもできる。
【００６９】
また、書誌データベース情報の注文情報を、書店端末に送信し、注文の確認を促し、注文の確認を受信した場合に、書誌データベース情報を生成するようにしてもよい。図書カードについても同様に、注文情報を、書店端末に送信し、注文の確認を促し、注文の確認を受信した場合に、図書カード情報を生成するようにしてもよい。
【００７０】
尚、図書館からの仮注文は、注文の例であって、本注文に適用することも有効である。
【００７１】
また、図２及び図１０に示す情報群の記憶部について、共通のテーブルとすることもできる。
【００７２】
上述の図書館向け書籍納入支援システムは、コンピュータであり、各要素はプログラムにより処理を実行することができる。また、プログラムを記憶媒体に記憶させ、記憶媒体からコンピュータに読み取られるようにすることができる。
【００７３】
【発明の効果】
本発明では、図書館からの注文に対して、書店では在庫確認と受入作業を行うだけで足り、取次店への注文情報を意識する必要がない。つまり、取次店への注文情報を作成する必要がなく、また、注文情報に突き合わせて検収を行う必要がなく、作業が単純化される。
【００７４】
また、書誌データベースと図書カードについて、自動的に注文情報を生成することができる。
【００７５】
また、サーバとすることにより、図書館からの受注を代行し、更に取次店への発注を代行することができ、書店の受発注業務を軽減することができる。
【００７６】
さらに、書誌データベースと図書カード情報を生成し、提供するので、書誌データベースと図書カード情報の取引手続きを自動化することができる。
【００７７】
また、未納分の書籍の継続して納品対象とすることが可能になり、図書館の発注業務を軽減し、サービスを向上させることができる。
【図面の簡単な説明】
【図１】  図書館向け書籍納入支援システムのうち、図書館からの仮受注から取次店への発注までの処理に関する構成を示す図である。
【図２】  各注文情報及び各書籍情報の例を示す図である。
【図３】  図書館からの仮受注から取次店への発注の処理フローを示す図である。
【図４】  書店対取次店注文情報の生成の処理フローを示す図である。
【図５】  図書館向け書籍納入支援システムのうち、受入検収、及び書誌データベースと図書カードの発注の処理に関する構成を示す図である。
【図６】  受入検収、及び書誌データベースと図書カードの発注の処理フローを示す図である。
【図７】  受入検収結果の生成の処理フローを示す図である。
【図８】  書誌データベース注文情報の生成の処理フローを示す図である。
【図９】  図書カード注文情報の生成の処理フローを示す図である。
【図１０】  実施の形態２における各注文情報及び各書籍情報の例を示す図である。
【図１１】  実施の形態２における受入検収結果の生成の処理フローを示す図である。
【図１２】  実施の形態３における図書館向け書籍納入支援システムのうち、図書館からの仮受注から取次店への発注までの処理に関する構成を示す図である。
【図１３】  実施の形態３における図書館からの仮受注から取次店への発注までの処理フローを示す図である。
【図１４】  実施の形態３における図書館向け書籍納入支援システムのうち、受入検収、及び書誌データベースと図書カードの発注の処理に関する構成を示す図である。
【図１５】  実施の形態３における受入検収、及び書誌データベースと図書カードの発注の処理フローを示す図である。
【図１６】  図書館の書籍購入に伴う業務フローを示す図である。
【符号の説明】
１０１  図書館対書店仮注文情報入力部、１０２  図書館対書店仮注文情報記憶部、１０３  在庫分書籍情報入力部、１０４  在庫分書籍情報記憶部、１０５書店対取次店注文情報生成部、１０６  書店対取次店注文情報記憶部、１０７書店対取次店注文情報出力部、５０１  入荷書籍情報入力部、５０２  受入検収結果生成部、５０３  受入検収結果出力部、５０４  未納分書籍情報記憶部、５０５  書誌データベース注文情報生成部、５０６  書誌データベース注文情報出力部、５０７  図書カード注文情報生成部、５０８  図書カード注文情報出力部、１２０１  書籍リスト送信部、１２０２  図書館対書店仮注文情報受信部、１２０３  図書館対書店仮注文情報記憶部、１２０４  書店選択部、１２０５  図書館対書店仮注文情報転送部、１２０６  在庫分書籍バーコード読取りプログラム送信部、１２０７  在庫分書籍情報受信部、１２０８  在庫分書籍情報記憶部、１２０９  書店対取次店注文情報生成部、１２１０  書店対取次店注文情報記憶部、１２１１  書店対取次店注文情報送信部、１４０１  書店対取次店注文分書籍受入検収画面送信部、１４０２  受入分書籍バーコード読取りプログラム送信部、１４０３  入荷書籍情報受信部、１４０４  受入検収結果生成部、１４０５  受入検収結果送信部、１４０６  未納分書籍情報記憶部、１４０７  書誌データベース注文情報生成部、１４０８  書誌データベース生成部、１４０９  書誌データベース送信部、１４１０  図書カード注文情報生成部、１４１１  図書カード情報生成部、１４１２  図書カード情報送信部、１４１３  図書カード印刷部。
【図１】
0003692061.tif 000002
【図２】
0003692061.tif 000003
【図３】
0003692061.tif 000004
【図４】
0003692061.tif 000005
【図５】
0003692061.tif 000006
【図６】
0003692061.tif 000007
【図７】
0003692061.tif 000008
【図８】
0003692061.tif 000009
【図９】
0003692061.tif 000010
【図１０】
0003692061.tif 000011
【図１１】
0003692061.tif 000012
【図１２】
0003692061.tif 000013
【図１３】
0003692061.tif 000014
【図１４】
0003692061.tif 000015
【図１５】
0003692061.tif 000016
【図１６】
0003692061.tif 000017